(57)【要約】合成材料からなりリボン区域（３０）にウエイトストリップ（４０）を持つ高い慣性モーメントを持つゴルフクラブヘッド（２０）が開示されている。ウエイトストリップ（４０）は銅、タングステンなどの金属からなる。クラブヘッド（２０）の重心を通るＺ軸の回りの慣性モーメントＩｚｚは２８００ｇ−ｃｍ２〜５０００２８００ｇ−ｃｍ２で、クラブヘッド（２０）の重心を通るクラブヘッド（２０）の重心を通るＹ軸の回りの慣性モーメントＩｙｙは１９００ｇ−ｃｍ２〜２５００ｇ−ｃｍ２である。ゴルフクラブヘッド（２０）は好ましくはプリプレグシートのプライからなる。合成材ゴルフクラブヘッド（２０）の体積は３００ｃｍ３〜６００ｃｍ３である。
2004519284.tif 000002
【特許請求の範囲】
【請求項１】
中空内部を有し、合成材料からなるボディ（２２）と；
前記ボディ上に配置され、合成材料より大きな密度を持つ材料からなる少なくとも一つのウエイトストリップ（４０）とを有し；
前記ボディ（２２）は３００ｃｍ３より大きい体積と、ゴルフクラブヘッド（２０）の重心を通る垂直軸Ｚの回りの慣性モーメントＩｚｚ が３０００ｇ−ｃｍ２より大きいゴルフクラブヘッド（２０）。
【請求項２】
ボディ（２２）は、ソール（２８）と、クラウン（２４）と、フェース（２６）と、リボン（３０）を有し、少なくとも１つのウエイトストリップ（４０）が前記リボン内に組み込まれている請求項１に記載のゴルフクラブヘッド（２０）。
【請求項３】
ボディ（２０）はプリプレグ材料のプライの複数の層からなる請求項１に記載のゴルフクラブヘッド（２０）。
【請求項４】
ウエイトストリップ（４０）はプリプレグ材料のプライの複数の層の複数の層の間に並置されている請求項３に記載のゴルフクラブヘッド（２０）。
【請求項５】
ソール（２８）に少なくとも１つの第２の重りを有する請求項２に記載のゴルフクラブヘッド（２０）。
【請求項６】
ウエイトストリップ（４０）は高密度化されたフィルム、銅、タングステン及びビスマスからなる群より選択された材料からなる請求項１に記載のゴルフクラブヘッド（２０）。
【請求項７】
ゴルフクラブヘッド（２０）の重心を通る垂直軸Ｚの回りの慣性モーメントＩｚｚ は３５００ｇ−ｃｍ２〜５０００ｇ−ｃｍ２の範囲である請求項１に記載のゴルフクラブヘッド（２０）。
【請求項８】
ウエイトストリップ（４０）はリボン（３０）のトオエンド（３２）からリボン（３０）のヒールエンド（３４）に延びる請求項２に記載のゴルフクラブヘッド（２０）。
【請求項９】
ウエイトストリップ（４０）はリボン（３０）の長さの少なくとも５０％に沿って延びる請求項２に記載のゴルフクラブヘッド。
【請求項１０】
ゴルフクラブヘッド（２０）はゴルフクラブヘッド（２０）の重心を通る水平軸Ｙの回りの慣性モーメントＩｙｙ が少なくとも１９００ｇ−ｃｍ２である請求項１に記載のゴルフクラブヘッド。
【請求項１１】
ゴルフクラブヘッド（２０）は少なくとも３００ｃｍ３〜６００ｃｍ３の範囲の体積を持つ請求項１に記載のゴルフクラブヘッド。
【請求項１２】
ゴルフクラブヘッド（２０）は１５０グラム〜２５０グラムの重量を持つ請求項１に記載のゴルフクラブヘッド。
【請求項１３】
ゴルフクラブヘッド（２０）の重心を通る水平軸Ｙの回りの慣性モーメントＩｙｙが１９００ｇ−ｃｍ２〜２５００ｇ−ｃｍ２の範囲である請求項１０に記載のゴルフクラブヘッド。
【請求項１４】
ゴルフクラブヘッド（２０）の重心を通る垂直軸Ｚの回りの慣性モーメントＩｚｚが１７００ｇ−ｃｍ２〜５０００ｇ−ｃｍ２の範囲である請求項１０に記載のゴルフクラブヘッド。
【請求項１５】
中空内部（４４）を有し、合成材料からなり、フェース（２６）と、ソール（２８）と、クラウン（２４）と、ソール（２８）とクラウン（２４）により並置されたリボン（３０）と、ヒールエンド（３４）とトオエンド（３２）を有するボディ（２２）と；
合成材料より大きな密度を持つ材料からなり、各々がリボン（３０）又はソール（２８）に配置されている複数のウエイトストリップ（４０）とを有し、
前記ボディ（２２）は３００ｃｍ３より大きい体積を持ち、ゴルフクラブヘッド（２０）の重心を通る垂直軸Ｚの回りの慣性モーメントＩｚｚが３０００ｇ−ｃｍ２〜５０００ｇ−ｃｍ２の範囲であり、ゴルフクラブヘッド（２０）の重心を通る水平軸Ｙの回りの慣性モーメントＩｙｙ が１９００ｇ−ｃｍ２〜２５００ｇ−ｃｍ２あるゴルフクラブヘッド。
【請求項１６】
複数のウエイトストリップ（４０）の各々は銅の材料からなる請求項１５に記載のゴルフクラブヘッド。
【請求項１７】
複数のウエイトストリップ（４０）の各々はリボン（３０）の上に互いに平行とされている請求項１５に記載のゴルフクラブヘッド。
【請求項１８】
複数のウエイトストリップ（４０）は、リボン（３０）のヒールエンド（３４）に配置された第１のウエイトストリップ（４０）と、リボン（３０）の後部に配置された第２のウエイトストリップ（４０）と、リボン（３０）のトオエンドに配置された第３のウエイトストリップ（４０）とを有する請求項１５に記載のゴルフクラブヘッド。
【請求項１９】
ボディ（２２）はプリプレグ材料の複数のプライの層からなる請求項１５に記載のゴルフクラブヘッド。
【請求項２０】
ゴルフクラブヘッド（２０）は１７０グラム〜２５０グラムの重量を持つ請求項１５に記載のゴルフクラブヘッド。
【発明の詳細な説明】
【０００１】
技術分野
本発明はゴルフクラブヘッドに関する。本発明は、特に、合成材料からなるゴルフクラブヘッドに関する。
背景技術
近年、所望の重量特性を持つゴルフクラブヘッドの開発、特に所望の重心位置を持つゴルフクラブヘッドの開発への実質的な注目が向けられている。例えば、設計者は、より距離を出すため、ゴルフクラブヘッドのフェース又は“スウィートスポット”に対して所定の或いは所望の位置にゴルフクラブヘッドの重心の位置を定めることを望むかもしれない。
【０００２】
通常のゴルフクラブヘッドは典型的には金属合金か又は実質的に均質な密度を持つ他の材料で造られるため、ゴルフクラブヘッドの重量特性は代表的にはその形状により定まる。したがって、ゴルフクラブヘッドの重心位置を変えるためには、しばしば、ゴルフクラブヘッドの形状を変える必要があった。しかしながら、これはゴルフクラブヘッドの他の望まれる特性に悪い影響を与えることにもなる。
【０００３】
ゴルフクラブヘッドを合成材料（代表的にはカーボン強化樹脂）を使用して造られるときは更に複雑な設計プロセスとなる。合成材料は代表的には金属や他の通常の材料に比べて密度が小さいため、合成材料のゴルフクラブヘッドは一般的にゴルフクラブの製品のための所望ノスウィングウエイトを達成するために追加的な重りを必要とする。
【０００４】
米国ゴルフ協会（“ＵＳＧＡ”）及びセントアンドリュース  ロイヤル  エンシャント  ゴルフクラブにより制定され解釈されるゴルフ規則はゴルフクラブヘッドについて特定の要件を定めている。このゴルフクラブヘッドの要件は規則４及び付則ＩＩに定められている。完全なゴルフ規則はＵＳＡＧウェブページ、ｗｗｗ．ｕｓｇａ．ｏｒｇにより入手できる。ゴルフ規則はゴルフクラブについて特定のパラメーターを明示的に記載していないが、規則４−１はクラブヘッドはクラブヘッドは全体的に形状が平坦で全ての部分は事実上固く構造的であり機能的である必要があると規定している。
【０００５】
合成材料のゴルフクラブヘッドの重量を調節及び／又は増加するために多くの提案がなされてきた。例えば、重り材即ち材料がゴルフクラブヘッド内のキャビティ内に製造後導入される。ウッドタイプのゴルフクラブヘッドの場合、ゴルフクラブヘッドのキャビティはフェース、側部、ソール及びクラウンにより囲まれる。しかしながら、しかしながら、アイアンやパターのクラブヘッドではキャビティを、例えば、ソール、ヒール、トオ領域に形成することは一般的ではない。しかしながら、キャビティへのアクセスに制限があるため、そのような重り材料は所望の位置に正確に置くことができず、また、ゴルフクラブヘッドの重量を調整することや、ゴルフクラブヘッドの重心の位置を非常に正確に調整することができない。更に、そのような材料は乾燥してゴルフクラブヘッドの壁から離脱し、ゴルフクラブヘッドの重量に悪い影響を与え、多分ゴルフクラブのスウィング中に不快な音や感触を生じるであろう。
【０００６】
それとは別に、合成材料ゴルフクラブヘッドはソリッド状の又は発泡されたコアを持つかもしれない。しかしながら、ソリッド状の又は発泡体のコアは、通常、重心の位置とゴルフクラブヘッドの慣性モーメントを調整するのには効果がない。その理由は、ソリッド又は発泡体材料は通常、均質な密度を持つため、ゴルフクラブヘッドの形状を同時に変えることなくゴルフクラブヘッドの重心位置や慣性モーメントを調整することを困難にしている。それに加え、そのような材料はゴルフクラブヘッド内にボイドを発生する原因ともなる。
【０００７】
合成材料を含むゴルフクラブヘッドのために、合成材ファイーバーの高い密度の層をゴルフクラブヘッドの壁に設けて重量を増すことができる。しかしながら、合成材料の層にこのような変化を加えることはゴルフクラブヘッドの構造的特性を変えることとなる。
【０００８】
発明の開示
本発明は通常のゴルフクラブヘッドより優れた性能を与えるゴルフクラブヘッドの高い慣性モーメントを提供するものである。本発明のゴルフクラブヘッドはこれをゴルフクラブヘッドのソールとリボンに多数のウエイト要素を与えることにより達成している。
【０００９】
本発明の１つの態様は、ウエイトストリップを持つボディを含むゴルフクラブヘッドである。このボディは中空内部を持ち、合成材料からなっている。ボディはフェース、ソール、クラウン、ソールとクラウンに並置されるリボン、ヒールエンド及びトオエンドを持つ。ウエイトストリップは合成材料より大きな密度を持つ材料からなり、リボンに配置される。ボディは３００ｃｍ３を超える体積と、３０００ｇ−ｃｍ２を超えるゴルフクラブヘッドの重心を通り、垂直軸の回りの慣性モーメント、Ｉｚｚ を持つ。
【００１０】
ボディはプリプレグ合成材料のプライの複数の層から造ることができる。ウエイトストリップはプリプレグ合成材料のプライの複数の層の間に並置される。
【００１１】
本発明の他の態様は、ボディと複数のウエイトストリップを含むクラブヘッドである。ボディは中空内部を持ち、合成材料からなる。ボディは、フェース、ソール、クラウン、ソールとクラウンにより並置されるリボン、ヒールエンド及びトオエンドを持つ。各複数のウエイトストリップは合成材料より大きな密度を持つ材料からなり、各複数のウエイトストリップはリボン又はソールに配置される。ボディは３００ｃｍ３の体積と、２８００ｇ−ｃｍ２〜２８００ｇ−ｃｍ２の範囲のゴルフクラブヘッドの重心を通り、垂直軸の回りの慣性モーメントＩｚｚ と、１８００ｇ−ｃｍ２〜２５００ｇ−ｃｍ２の範囲のゴルフクラブヘッドの重心を通る水平軸の回りの慣性モーメントＩｙｙ を持つ。
本発明の最良の実施モード
図１−４に示されるように、本発明のゴルフクラブヘッドは全体として２０で示されている。クラブヘッド２０はエファウェイウッドでもよいし、ドライバーでもよい。クラブヘッド２０はカーボンプリプレグ（予め含真浸された）シートのプライ、又は注入可能な熱可塑性材料のような非金属材料のような合成材料からなるボディ２２を持つ。ボディ２２はクラウン２４、フェース２６、ソール２８、及びソール２８とクラウン２４により並置されたリボン３０を持つ。リボン３０は概略トオエンド３０からヒールエンド３４に延びる。リボン３０はフェース２６の一端から始まり、フェース２６の反対側で終わる。ボディ２２の後部３６はフェース２６の反対側で、リボン３０、クラウン２４及びソール２８により画成されている。リボン３０はクラブヘッド２０の体積を増加し、以下に詳述するように高い慣性モーメントを持つクラブヘッド２０を造ることを助ける。また、クラブヘッド２０のヒールエンド３４には、内部にシャフトを挿入するためのシャフト開口３９を持つホーゼル３８がある。
【００１２】
図５−８に示されるように、クラブヘッド２０はクラブヘッド２０のリボン３０内に配置されるウエイトストリップ４０を持つ。ウエイトストリップ４０は好ましくは、以下に詳述するようにプリプレグプライ４１ａ−ｂのプライの層内に埋め込まれている。ソールプレート４２はボディ２２のソール２８に取り付けられている。
【００１３】
図８に示されるように、ソールプレート４２はソール２８の外面に取り付けられており、ホーゼル３８はクラブヘッド２０の中空内部４４内に配置される。ソールプレートは好ましくはアルミニウム、チタン、ステンレススチールのような金属からなり、粘着剤や接着剤により製造工程中に取り付けられるか、或いは他の通常の方法により固定される。ソールプレート４２は約５グラム〜２５グラムの重量を持つ。ホーゼル３８は好ましくはステンレススチールのような金属で造られる。ホーゼル３８は好ましくは５グラム〜２０グラムの重量を持ち、粘着剤や接着剤により製造工程中に取り付けられるか、或いは他の通常の方法により中空内部４４に固定される。好ましくは中空内部４４は充填されてないが、ボディ２２の合成材料の重量はウエイト、発泡体、音増進手段等を配置する多数の操作を可能とする。
【００１４】
図８Ａに示されるように、ソールプレート４２は、クラブヘッド２０に一体に組み込まれるソールプレートホーゼル一体片４３を形成してホーゼル３８と一体とすることができる。ホーゼル３８はホーゼル開口５０を通して挿入され、クラブヘッド２０の中空内部４４内に配置される。ソールプレートホーゼル一体片４３はソールプレート４２を収容するように形造られたソールキャビティ内に挿入される。ホーゼル３８は、シャフトを配置するため、ホーゼル開口５０を通して挿入されシャフト開口３９に連結される。ソールプレート穴５２はソール２８を通して中空内部４４に接近することを可能とし、ソール２８は以下に記載するようにクラブヘッド２０の製造のために使用される。１つの実施例においては、ソールプレートホーゼル一体片４３はステンレススチール材料からなる。ソールプレートホーゼル一体片４３は、更に、ここに参照として全体が組み入れられる、１９９９年１２月２９日に出願された「ゴルフクラブヘッドの一体型ソールプレート及びホーゼル」を名称とする継続中の米国特許出願０９／４７４，９２７号に記載されている。
【００１５】
ウエイトストリップ４０は好ましくは高密度金属が充填されたフィルム、あるいは銅、タングステン、スチール、アルミニウム、銀、金、プラチナ等の金属材料からなる。ウエイトストリップ４０は適当な密度にするために金属が充填された熱可塑性材料でもよく、また金属充填剤はタングステン、真鍮、銅、スチール、錫などとすることができる。更に、ウエイトストリップ４０はタングステン、真鍮、銅、スチール、錫などの単一片とすることもできる。ウエイトストリップ４０はボディ２２の合成材料より大きな密度を持つ。各ウエイトストリップ４０は、各々、約３グラム〜３５グラム、好ましくは１０グラム〜３０グラムの重量を持つ。全てのウエイトストリップ４０の全体の重量は約５０グラム〜７０グラムで、好ましくは６０グラムである。
【００１６】
好ましくは、ウエイトストリップ４０は概略フェース２６のヒールエンド３４から後部３６を通りフェース２６のトオエンド３２に延びる。しかしながら、ウエイトストリップ４０はリボン３０の後部のみ、リボン３０のヒールエンド３４のみ、リボン３０のトオエンド３２のみ、あるいはそれらの組合せに延びるようにしてもよい。好ましくはウエイトストリップ４０はリボン３０の大部分を占める。しかしながら、ウエイトストリップ４０はリボン３０の一部を占めるようにしてもよい。
【００１７】
好ましい実施例では、図９に示されるように、ウエイトストリップ４０はリボン３０に一体に硬化された単一片である。しかしながら、ウエイトストリップ４０は、２，３，４片あるいはそれ以上の片として、リボン３０の一部に沿って延びるようにしてもよい。複数片のウエイトストリップ４０は水平、又は垂直に区画してもよい。
【００１８】
図９Ａに示されるような他の実施例においては、３個のウエイトストリップ４０４０ａ−ｃは互いに平行で実質的にリボン３０の全体の長さに亘り延びている。更に、図９Ｂに示されるような実施例においては、複数のウエイトストリップ４０ａ−ｊがリボン３０の長さ全体に亘り等しく分散している。当業者であれば本発明の精神と範囲を離れることなく多数の変形が可能であることは理解できるであろう。図９Ｃに示されるように、３つのウエイトストリップ４０ａ−ｃがリボン３０のトオエンド３２、リボン３０の後部３６、リボン３０のヒールエンド３２に配置されている。図９Ｃの実施例はソールプレートホーゼル一体片４３を使用している。
【００１９】
すでに述べたように、好ましい合成材料はカーボンプリプレグのプライである。プリプレグ合成材料シートのプライは、好ましくはカーボン又はグラスファイバーの撚り糸を樹脂フィルムを通して平行に引っ張り、樹脂を部分的に硬化又はステージすることにより造られる。樹脂が部分的にステージされると、全てのファイバーがシートのエッジに対して特定の方向に向きに向けられて柔らかいシートを形成するように樹脂がファイバーを保持する。例としてカーボンプリプレグファイバーシートはカリフォルニア、サンタ  アナのＮｅｗｐｏｒｔ Ｃｏｍｐｏｓｉｔｅ 、カリフォルニア  アナハイムのＣｙｔｅｃ Ｉｎｃ．、カリフォルニア  プリソントンの Ｈｅｘｃｅｌ Ｉｎｃ． より入手できる。それに替えて、合成材ボディ２２の層４１ａ−ｃは樹脂なしの合成材ファイバーの複数のプライで造ることができ、それらの各々は代表的には、ここにその全体が参照として組み込まれる１９９７年１０月２３日に出願された米国特許第６，０１０，４１１号に記載されているような、ドライ強化プリフォームを造るのに使用される連続したファイバーの紐又はマットからなる。
【００２０】
合成材ボディ２２はゴルフクラブヘッド２０の種々の壁を構造的に画成するプリプレグの１又は複数にプライを含む。別の言い方をすれば、プリプレグ合成材シートのプライは、最終のゴルフクラブヘッドに要求される構造的な特性に基いて、ゴルフクラブヘッド２０の種々の壁に選択され、組み入れられる。当業者によって理解できるように、図に示された簡略化されたプライの配置は、ある設計者が選択するかもしれない単なる例示的に示した形状にすぎない。もちろん、多くの他の形状がゴルフクラブヘッド２０の所望の構造的特性に応じて使用できる。そのような形状の例として、ここにその全体が参照として組み入れられる、１９９９年１２月２９日に出願された、「合成材ゴルフクラブヘッド及びその製造方法」という名称の継続中の米国特許出願０９／４７４，６７０号に記載されている。
【００２１】
図１０、１０Ａ、１０Ｂはゴルフクラブヘッドの重心を通る慣性軸を示している。慣性軸はＸ、Ｙ、及びＺによって示されている。Ｘ軸は、打球プレート２６から重心ＣＧを通り、ゴルフクラブヘッド２０の後部に延びる。軸Ｙは、ゴルフクラブヘッド２０のヒールエンド３２から重心ＣＧを通り、ゴルフクラブヘッド２０のトオエンド３４に延びる。軸Ｚは、ソール２４から重心ＣＧ通りクラウン２８に延びる。
【００２２】
Ｒａｌｐｈ Ｍａｌｔｂｙ によるＧｏｌｆ Ｃｌｕｂ Ｄｅｓｉｇｎ， Ｆｉｔｔｉｎｇ， Ａｌｔｅｒａｔｉｏｎ， ＆ Ｒｅｐａｉｒ， 第４版に定義されているように、ゴルフクラブヘッドの重心、又は質量中心は、クラブヘッドが吊り下げられて平衡状態のとき、２又はそれ以上の点の垂直交差点により決定されるクラブヘッド内部の一点である。より完全な説明はＧｏｌｆ Ｃｌｕｂ Ｄｅｓｉｇｎ， Ｆｉｔｔｉｎｇ， Ａｌｔｅｒａｔｉｏｎ， ＆ Ｒｅｐａｉｒに与えられている。
【００２３】
ゴルフクラブヘッド２０の重心及び慣性モーメントは、好ましくは、テストフレーム（ＸＴ，ＹＴ，ＺＴ）を使用して測定され、図１１及び１１Ａに示されるように、ヘッドフレーム（ＸＨ、ＹＨ，ＺＨ）に変換される。ゴルフクラブヘッドの重心は、図１２，１２Ａ，及び１２Ｂに示されるように、二つのウエイトスケールを有する重心テーブル５５を使用して得ることができる。もし、シャフトが存在すれば、それを取り除き、ゴルフクラブヘッド２０の軸に直角の多数の面を持つホーゼルキューブ５７と交換する。ゴルフクラブヘッド２０の重量が与えられると、ゴルフクラブヘッドが同時に両方のスケールの上に置かれ、特定の軸Ｘ，Ｙ，Ｚの方向に沿って秤量されて、ゴルフクラブヘッドの重量分布を決定することが可能となる。ウエイトスケールは地球重力に平行で重量分布を可能とし、各方向に沿って重心の位置を決定するために計算される：
ここで、ＷＡＯ，ＷＢＯ：ヘッドなしの重量
ＷＡＨ，ＷＢＨ：ヘッド付きの重量
Ｘ軸の位置は下記の式を用いて決定される。
【００２４】
【数１】
2004519284.tif 000003
Ｙ軸の位置は下記の式を用いて決定される：
【００２５】
【数２】
2004519284.tif 000004
Ｚ軸の位置は下記の式を用いて決定される：
【００２６】
【数３】
2004519284.tif 000005
一端テストフレームが決定されると、それらは下記の式を使用してヘッドフレーム座標に変換される：
【００２７】
【数４】
2004519284.tif 000006
図１２Ｃ，１２Ｄ、１２Ｅに示されるような慣性ダイナミック慣性モーメントマシン５９を使用して慣性モーメントが測定される。このマシン５９は互いに０．５インチ離れているアダプターホールを持つ矩形状のプレートを持っている。矩形プレートはマシン５９上に振動できるように取り付けられている。ゴルフクラブヘッド２０は矩形プレート上に置かれ、マシンにより１振幅の周期が測定される。その周期はマシンの回転軸の回りのゴルフクラブヘッドの慣性モーメントに直接相関し、それは事実上トーションばねによって発生する蓄積力を伴った単一の自由度となる。
【００２８】
ゴルフクラブヘッドがプレート上に取り付けられる向きを変えることにより、ある軸の希望する慣性モーメントが測定される。慣性テンソルを生成するためには９つの異なる向きが必要となり、測定された慣性モーメントはプレートとアダプターを含むため、初期のセットアップの慣性モーメント基準値を測定するために９つの追加的な測定が必要となる。ゴルフクラブヘッドの慣性モーメントは、ゴルフクラブヘッド、アダプター、プレートとマシンの内部回転質量共に測定された測定値と、アダプター、プレート及び内部回転質量共に測定された測定値との差である。ゴルフクラブヘッドと共に測定される９つの測定は、向きはヘッド間では同じで、矩形プレート上の位置が特定のゴルフクラブヘッドの重心によって変わる。ゴルフクラブヘッド無しの９つの測定は向きとアダプターの位置は同じである。マシンは重心が回転軸近くに置かれ誤差を最小にするようにされた矩形プレート上のアダプターホールを計算する重心及び慣性モーメントプログラムを持つ。このプログラムはゴルフクラブヘッドの重心を含まない回転軸を計算するための平行軸定理を使用している。これは重心軸の回りの慣性テンソルを生成し、その慣性テンソルはゴルフクラブヘッドの如何なる軸の回りの慣性モーメントの計算を可能にする。
【００２９】
【表１】
2004519284.tif 000007
表１は競合社の合成材ゴルフクラブヘッドの重心位置と重心の回りの慣性モーメントをリストにしたものである。どの競合社の合成材ヘッドについても、Ｚ軸の回りの慣性モーメントＩｚｚは２４３６．００ｇ−ｃｍ２より少ない。最も高いＺ軸の回りの慣性モーメントＩｚｚはＹｏｎｅｘ １ ＡＥＲＯＮＡ合成材ドライバーの２４３５．７２ｇ−ｃｍ２である。どの競合社の合成材ヘッドについても、Ｙ軸の回りの慣性モーメントＩｙｙは１３００．００ｇ−ｃｍ２より少ない。最も高いＺ軸の回りの慣性モーメントＩｙｙはＤａｉｗａ １，Ｇ３ 合成材ドライバーの１２９８．２１ｇ−ｃｍ２である。全ての競合会社の合成材ヘッドの質量は１８６グラムから２０８．８グラムの範囲である。
【００３０】
【表２】
2004519284.tif 000008
表２は本発明のゴルフクラブヘッド２０の慣性モーメントを示す。シェルは重り４０のないゴルフクラブヘッドである。重りのないクラブヘッド２０は９０グラムから１２０グラムを持ち、したがって、６０グラムから１０５グラムの重りを付加して本発明のゴルフクラブヘッドに対して高い慣性モーメントを達成することができる。本発明のゴルフクラブヘッド２０のＺ軸の回りの慣性モーメントＩｚｚは２８００ｇ−ｃｍ２から５０００ｇ−ｃｍ２の範囲であり、好ましくは、３０００ｇ−ｃｍ２から４５００ｇ−ｃｍ２、最も好ましくは３５００ｇ−ｃｍ２から４０００ｇ−ｃｍ２である。
【００３１】
本発明のゴルフクラブヘッド２０のＹ軸の回りの慣性モーメントＩｙｙは１５００ｇ−ｃｍ２から２５００ｇ−ｃｍ２の範囲であり、好ましくは、１８００ｇ−ｃｍ２から２１００ｇ−ｃｍ２、最も好ましくは１９００ｇ−ｃｍ２から２５００ｇ−ｃｍ２である。
【００３２】
図１３−１８は、ハイセンターヒットとローセンターヒットに対するＹ軸の回りの慣性モーメントＩｙｙを増加させた効果を示す。ハイセンターヒットは、ゴルフクラブヘッド２０重心より上に衝撃ベクトルが加わるヒットとして定義され、ローセンターヒットは、ゴルフクラブヘッド２０重心より下に衝撃ベクトルが加わるヒットとして定義される。
【００３３】
図１３−１５に示されるようにローセンターヒットに対しては、増加された慣性モーメントＩｙｙは、ゴルフクラブヘッド２０をデロフティングが少なくなるように回転させ、打上げ角度を増やし、ゴルフボール６３のバックスピンを減らす。図１６−１８に示されるように、ハイセンターヒットに対しては、増加された慣性モーメントＩｙｙは、ゴルフクラブヘッド２０をロフティングが少なくなるように回転させ、打上げ角度を増加させ、ゴルフボール６３のバックスピンを減少させる。従って、１００ＭＰＨのスウィングスピードに対する平均の総距離はゴルフクラブヘッドの慣性モーメントＩｚｚ が増加するにつれて増加する。
【００３４】
図１９−２４は、トオ側又はヒール側ヒットに対するＺ軸の回りの慣性モーメントＩｚｚを増加させた効果を示す。トオ側ヒットは重心からトオ側に外れたヒットとして定義される。ヒール側ヒットは重心からヒール側に外れたヒットとして定義される。図１９−２１に示されるように、増加された慣性モーメントＩｚｚは、ゴルフクラブヘッド２０を、開き（オープニング）が少なくなるように回転させ、右へ向くサイドアングルを減らし、ゴルフボール６３のドロースピンを減らす。図２２−２４に示されるように、ヒール側ヒットに対しては、増加された慣性モーメントＩｚｚは、ゴルフクラブヘッド２０を、クローズが少なくなるように回転させ、左へ向くサイドアングルを減らし、ゴルフボール６３のフェードスピンを減らす。
【００３５】
図２５に示されるように、増加されたＺ軸の回りの慣性モーメントＩｚｚ は好ましいボールの飛びをもたらす。Ｚ軸の回りの慣性モーメントＩｚｚの増加は必ずしも、ゴルフクラブヘッド２０の打球プレート上の種々の位置における多数のヒットにおける相対的分散パターン（“ＲＤ”）を改善しない。しかしながら、トオ側ヒットとヒール側ヒットは多数のヒットに対して減少した横方向の頂部を持つ。多数のヒットの全体的な分散は、重心、バルジ半径、与えられたスピードに対するゴルフクラブヘッドの反発係数のようないくつかのパラメーターの関数である。バルジ半径が適当に調整されていれば、Ｉｚｚが変化するにつれて分散は必ずしも改善、或いは悪くはしない。
【００３６】
図２６は、１００ＭＰＨのスウィングスピードに対する全体の平均距離（９つのヒット位置）がゴルフクラブヘッドの慣性モーメントＩｚｚが増加するにつれて増加することを示すグラフである。
【００３７】
図２７は、ゴルフクラブヘッドの慣性モーメントＩｚｚの１００ｇ−ｃｍ２の増加あたりの９ヒット位置の距離の増加を示している。
【００３８】
図２８は１００ＭＰＨのスウィングスピードに対する平均の横方向頂部（９のヒット位置）がゴルフクラブヘッドの慣性モーメントＩｚｚの増加に伴い減少することを示すグラフである。横方向頂部はインパクト位置から最終飛球位置（最終ころがり位置ではない）までの曲がりである。
【００３９】
図２９はゴルフクラブヘッドの慣性モーメントＩｚｚの１００ｇ−ｃｍ２の増加あたりの９ヒット位置の横方向頂部の減少を示している。
【００４０】
図３０は１００ＭＰＨのスウィングスピードに対する平均の距離（９のヒット位置）がゴルフクラブヘッドの慣性モーメントＩｙｙの増加に伴い増加することを示すグラフである。
【００４１】
図３１はゴルフクラブヘッドの慣性モーメントＩｙｙの１００ｇ−ｃｍ２の増加あたりの９ヒット位置の距離の増加を示している。
【００４２】
図３２は、慣性モーメントＩｚｚ が変化してときのゴルフクラブヘッドのバルジ半径の変化に対する分散の関係を示すグラフである。図３２に示されるように、分散の変化はゴルフクラブヘッドの慣性モーメントＩｚｚが増加するにつれて減少する。
【図面の簡単な説明】
【図１】
本発明のクラブヘッドの平面図である。
【図２】
図１のゴルフクラブヘッドの背面図である。
【図３】
図１のゴルフクラブヘッドのトオエンドから見た図である。
【図４】
図１のゴルフクラブヘッドのヒールエンドから見た図である
【図５】
図１の線５−５の断面図である。
【図６】
図１の線６−６の断面図である。
【図７】
図１の線７−７の断面図である。
【図８】
図１の線８−８の断面図である。
【図８Ａ】
固定されたホーゼルを持つソールプレートを有する他の実施例のゴルフクラブヘッドの断面図である。
【図９】
本発明のゴルフクラブヘッドの分解図である。
【図９Ａ】
本発明の他の実施例の分解図である。
【図９Ｂ】
本発明の他の実施例の分解図である。
【図９Ｃ】
本発明の他の実施例の分解図である。
【図１０】
Ｙ軸とＸ軸を示す本発明のゴルフクラブの平面図である。
【図１０Ａ】
Ｚ軸とＸ軸を示す本発明のゴルフクラブのヒールサイドから見た図である。
【図１０Ｂ】
Ｚ軸とＹ軸を示す本発明のゴルフクラブの正面図である。
【図１１】
本発明のゴルフクラブヘッドの正面図で、テストフレーム座標ＸＴとＹＴ、変換されたヘッドフレーム座標    ＹＨ  ＺＨを示す。
【図１１Ａ】
本発明のゴルフクラブヘッドのトオエンドから見た図で、エストフレーム座標ＺＴと変換されたヘッドフレームＸＨとＺＨを示す。
【図１２】
Ｘ軸に沿う重心位置を測定するために使用される本発明のクラブヘッドの重心テーブルを示す図である。
【図１２Ａ】
Ｙ軸に沿う重心位置を測定するために使用される本発明のクラブヘッドの重心テーブルを示す図である。
【図１２Ｂ】
Ｚ軸に沿う重心位置を測定するために使用される本発明のクラブヘッドの重心テーブルを示す図である。
【図１２Ｃ】
本発明のゴルフクラブヘッドの慣性ダイナミック慣性マシンを示す図で、ヘッドからＸＴ方向のスピン軸までの距離を示している。
【図１２Ｄ】
本発明のゴルフクラブヘッドの慣性ダイナミック慣性マシンを示す図で、ヘッドからＹＴ方向のスピン軸までの距離を示している。
【図１２Ｅ】
本発明のゴルフクラブヘッドの慣性ダイナミック慣性マシンを示す図で、ヘッドからＺＴ方向のスピン軸までの距離を示している。
【図１３】
本発明のゴルフクラブヘッドの打球プレートに対するゴルフボールのローセンター打球からのデロフティング力を示す図である。
【図１４】
本発明のゴルフクラブヘッドの打球プレートに対するゴルフボールのローセンター打球からの重心を通るＹ軸の回りのデロフティングモーメントを示す図である。
【図１５】
本発明のゴルフクラブヘッドの打球プレートに対するゴルフボールのローセンター打球からの重心を通るＹ軸の回りのデロフティング回転を示す図である。
【図１６】
本発明のゴルフクラブヘッドの打球プレートに対するゴルフボールのハイセンター打球からのロフティング力を示す図である。
【図１７】
本発明のゴルフクラブヘッドの打球プレートに対するゴルフボールのハイセンター打球からの重心を通るＹ軸の回りのロフティングモーメントを示す図である。
【図１８】
本発明のゴルフクラブヘッドの打球プレートに対するゴルフボールのハイセンター打球からの重心を通るＹ軸の回りのロフティング回転と、ゴルフボールに生じたハイスピンを示す図である。
【図１９】
本発明のゴルフクラブの打球プレートに対するゴルフボールのセンター―トオの打撃からのオープニング力を示す図である。
【図２０】
本発明のゴルフクラブの打球プレートに対するゴルフボールのセンター―トオの打撃からの重心を通るＺ軸の回りのオープニングモーメントを示す図である。
【図２１】
本発明のゴルフクラブの打球プレートに対するゴルフボールのローセンターの打撃からの重心を通るＺ軸の回りのオープニング回転と、ゴルフボールに生じるドロースピンを示す図である。
【図２２】
本発明のゴルフクラブの打球プレートに対するゴルフボールのセンター−ヒール打撃からのクローズィング力を示す図である。
【図２３】
本発明のゴルフクラブの打球プレートに対するゴルフボールのセンター−ヒール打撃からのクローズィングモーメントを示す図である。
【図２４】
本発明のゴルフクラブの打球プレートに対するゴルフボールのローセンター打撃からのクローズィング回転と、ゴルフボールに生じるスライススピンを示す図である。
【図２５】
本発明のゴルフクラブによりヒットされたゴルフボールの可能性のあるいくつかの分散を示す図である。
【図２６】
距離と増加した慣性モーメントＩｚｚ との関係を示す図である。
【図２７】
１００ｇ−ｃｍ２当たりの慣性モーメントＩｚｚの増加に対する９のヒット位置における距離の変化を示すゴルフクラブヘッドのフェース図である。
【図２８】
横方向頂部と増加した慣性モーメントＩｚｚ との関係を示す図である。
【図２９】
１００ｇ−ｃｍ２当たりの慣性モーメントＩｚｚの増加に対する９のヒット位置における横方向頂部の変化を示すゴルフクラブヘッドのフェース図である。
【図３０】
距離と増加して慣性モーメントＩｙｙとの関係を示す図である。
【図３１】
１００ｇ−ｃｍ２当たりの慣性モーメントＩｙｙ の増加に対する９のヒット位置における距離の変化を示すゴルフクラブヘッドのフェース図である。
【図３２】
慣性モーメントＩｚｚを変化させた種々のクラブヘッドの分散とバルジ半径の変化との関係を示す図である。
【図１１】
2004519284.tif 000009
【図１１Ａ】
2004519284.tif 000010
【図１３】
2004519284.tif 000011
【図１４】
2004519284.tif 000012
【図１５】
2004519284.tif 000013
【図１６】
2004519284.tif 000014
【図１７】
2004519284.tif 000015
【図１８】
2004519284.tif 000016
【図１９】
2004519284.tif 000017
【図２０】
2004519284.tif 000018
【図２１】
2004519284.tif 000019
【図２２】
2004519284.tif 000020
【図２３】
2004519284.tif 000021
【図２４】
2004519284.tif 000022
【図２６】
2004519284.tif 000023
【図２７】
2004519284.tif 000024
【図２８】
2004519284.tif 000025
【図２９】
2004519284.tif 000026
【図３０】
2004519284.tif 000027
【図３１】
2004519284.tif 000028
【図３２】
2004519284.tif 000029
【国際公開パンフレット】
2004519284.tif 000030
2004519284.tif 000031
2004519284.tif 000032
2004519284.tif 000033
2004519284.tif 000034
2004519284.tif 000035
2004519284.tif 000036
2004519284.tif 000037
2004519284.tif 000038
2004519284.tif 000039
2004519284.tif 000040
2004519284.tif 000041
2004519284.tif 000042
2004519284.tif 000043
2004519284.tif 000044
2004519284.tif 000045
2004519284.tif 000046
2004519284.tif 000047
2004519284.tif 000048
2004519284.tif 000049
2004519284.tif 000050
2004519284.tif 000051
2004519284.tif 000052
2004519284.tif 000053
2004519284.tif 000054
2004519284.tif 000055
2004519284.tif 000056
2004519284.tif 000057
2004519284.tif 000058
2004519284.tif 000059
2004519284.tif 000060
2004519284.tif 000061
2004519284.tif 000062
2004519284.tif 000063
2004519284.tif 000064
2004519284.tif 000065
2004519284.tif 000066
2004519284.tif 000067
2004519284.tif 000068
2004519284.tif 000069
2004519284.tif 000070
2004519284.tif 000071
2004519284.tif 000072
2004519284.tif 000073
2004519284.tif 000074
2004519284.tif 000075
2004519284.tif 000076
2004519284.tif 000077
2004519284.tif 000078
2004519284.tif 000079
2004519284.tif 000080
2004519284.tif 000081
2004519284.tif 000082
【国際公開パンフレット（コレクトバージョン）】
2004519284.tif 000083
2004519284.tif 000084
【国際調査報告】
2004519284.tif 000085
2004519284.tif 000086